(57)【要約】      （修正有）【課題】被検者に対する電離性放射線の投射線量の指示を管理するためのデータに対するアクセスを改良すること。【解決手段】このシステム１００は、遠隔オフィス１１２と、被検者１０５に電離性放射線１３５を照射するシステム１２０との間で通信するためにブロードバンド接続１１８を確立する要求を顧客から受信し、電離性放射線１３５の照射が閾値を超える事象に関連する状態情報および個々の線量データを自動的に通信し、自動的に、報告２４０を生成し、ブロードバンド接続１１８を介して、顧客に報告２４０を通信する。報告２４０は、電離性放射線１３５の照射が閾値を超える事象の指示、ならびに、他のシステム１７０の母集団から収集される放射線線量データおよび状態情報によって規定されるベンチマークに対する、事象発生時のシステム１２０の個々の放射線線量データおよび個々の状態情報の比較を含む。【選択図】図１
2010221032.tif 000002
【特許請求の範囲】
【請求項１】
被検者（１０５）に対する電離性放射線（１３５）の照射指示を管理する方法（２００）であって、
遠隔オフィス（１１２）と、前記被検者（１０５）に電離性放射線（１３５）の照射を指示する自システム（１２０）との間での通信のためにブロードバンド接続（１１８）を確立するという要求（２０８）を、顧客から、受信するステップと、
電離性放射線（１３５）の投射指示が閾値（６１０）を超える事象に関連する状態情報と個々の線量データとを自動的に通信するステップと、
自動的に、報告（１８０、２４０）を生成し、前記ブロードバンド接続を介して前記顧客に前記報告（１８０、２４０）を通信するステップとを含み、
前記報告は、
（ｉ）電離性放射線（１３５）の照射が前記閾値（６１０）を超える前記事象発生の指摘と、
（ｉｉ）この自システム（１２０）での放射線投射量データ並びに状態情報と、電離性放射線（１３５）を照射し、かつ、前記遠隔オフィス（１１２）にデータを通信する複数の他システム（１７０）から収集された同じく放射線線量データ並びに状態情報によって規定されたベンチマークとの夫々の比較、
とを報告することを特徴とする管理方法（２００）。
【請求項２】
前記電離性放射線（１３５）を照射する前記システム（１２０）は、放射線学的イメージングシステム（１３０）であり、前記比較は、前記複数の他の放射線学的イメージングシステム（１７０）の少なくとも１つの放射線学的イメージングシステム（１７０）が採取した複数の画像に対して、前記個々の放射線学的イメージングシステム（１３０）の複数の採取画像との比較を行うことを特徴とする請求項１記載の方法（２００）。
【請求項３】
前記閾値（６１０）を超える少なくとも１つの採取画像について前記個々の放射線線量データを計算することは、前記遠隔オフィス（１１２）から前記顧客へ、前記収集された状態情報と個々の線量データを自動的に通信するステップをトリガーすることを特徴とする請求項２記載の方法（２００）。
【請求項４】
前記個々の電離性放射線システム（１７０）からのデータを前記複数の電離性放射線システム（１７０）の１つまたは複数の電離性放射線システム（１７０）のデータに対して比較することは、複数のタイプのプロトコルの分布について電離性放射線（１３５）の前記照射を採用するプロトコルの継続時間、異なるプロトコルの相対的な実施の頻度および前記被検者（１０５）に照射される放射線線量の関連する分布（７０５）、前記放射線線量、前記電離性放射線（１３５）に対する曝露の継続時間、前記放射線線量と前記被検者（１０５）に照射される電離性放射線（１３５）のビームの面積を乗じた積、ならびに、画像収集モードのタイプに対する放射線線量の分布（７０５）のそれぞれにさらに関連する請求項１記載の方法（２００）。
【請求項５】
前記複数の電離性放射線システム（１７０）の１つまたは複数の電離性放射線システム（１７０）のデータに対する、前記個々の電離性放射線システム（１７０）からのデータの比較は、前記被検者（１０５）に照射される放射線線量が、前記閾値（６１０）放射線線量を超える前記個々のシステム（１２０）に関する事象の数の分布、ｘ線源−受像面間距離（ＳＩＤ）（２２２）の変動に対する、前記被検者（１０５）に照射される放射線線量の分布（７０５）、同様なプロトコルまたはモードの電離性放射線（１３５）動作を実施する１つまたは複数の同様なタイプの他のシステム（１７０）から収集されるデータによって規定されるベンチマークに対する、前記個々のシステム（１２０）についてのＳＩＤの分布、自動曝射の選好、画像収集のフレームレート、同じ平均放射線減衰を生じる、被検者（１０５）の透過厚の計算された値、放射線線量が放射線線量閾値（６１０）を超えた検査の時点のそれぞれにさらに関連する請求項１記載の方法（２００）。
【請求項６】
前記個々の放射線学的イメージングシステム（１３０）から収集される個々の放射線線量の履歴における個々の傾向を計算するステップと、
ユーザから受信される選択された時間枠の間に、前記複数の他の放射線学的イメージングシステム（１７０）から収集される前記母集団放射線線量データの履歴から計算される母集団傾向に対して前記個々の傾向を比較するステップとをさらに含む請求項１記載の方法（２００）。
【請求項７】
前記報告は（１８０、２４０）は、前記放射線線量が前記閾値（６１０）を超えた、対象となる検査に関連する累積線量インシデントマップ（９１０）を含み、前記累積線量インシデントマップ（９１０）の実施形態は、前記イメージングシステム（１３０）の放射源（１２５）および／または検出器（１４０）の追跡されたる位置または角度に対して、前記検査中に前記被検者（１０５）に照射される累積放射線線量（ＥＳＡＫ）の尺度の図を含み得、前記放射源（１２５）および／または検出器（１４０）の前記追跡される位置または角度は、前記放射源（１２５）または検出器（１４０）を支持するガントリ（１２８）の追跡される位置または角度に関係付けられ得る請求項１記載の方法（２００）。
【請求項８】
前記報告（１８０、２４０）は、前記被検者（１０５）の左前斜位／右前斜位（ＬＡＯ／ＲＡＯ）に関して前記電離性放射線（１３５）の供給源（１２５）を支持するガントリ（１２８）の様々な位置を表す水平軸（９１２）のグラフィック図、前記ガントリ（１２８）の頭側または尾側位置を表す垂直軸（９１３）のグラフィック図、および、前記水平および垂直軸（９１２、９１３）に対する放射線線量の分布（７０５）のグラフィック図を含む累積線量インシデントマップ（９１０）を含む請求項１記載の方法（２００）。
【請求項９】
プロセッサ（１５０）によって実行されるための複数のプログラム命令を含むコンピュータ読取り可能媒体（１５５）であって、前記複数のプログラム命令は、
遠隔オフィス（１１２）と、前記被検者（１０５）に前記電離性放射線（１３５）を照射するシステム（１２０）との間で通信するためにブロードバンド接続を確立する要求を顧客から受信するステップと、
電離性放射線（１３５）の照射が閾値（６１０）を超える事象に関連する状態情報および個々の線量データを自動的に通信するステップと、
自動的に、報告（１８０、２４０）を生成し、前記ブロードバンド接続を介して前記顧客に前記報告（１８０、２４０）を通信するステップとを実施するためのものであり、前記報告（１８０、２４０）は、電離性放射線（１３５）の照射が前記閾値（６１０）を超える前記事象の指示、ならびに、電離性放射線（１３５）を照射し、かつ、前記遠隔オフィス（１１２）にデータを通信する他のシステム（１７０）の母集団から収集される放射線線量データおよび状態情報によって規定されるベンチマークに対する、前記事象発生時のシステム（１２０）の個々の放射線線量データおよび個々の状態情報の比較を含むコンピュータ読取り可能媒体（１５５）。
【請求項１０】
前記閾値（６１０）を超える少なくとも１つの採取画像について前記個々の放射線線量データを計算することは、前記遠隔オフィス（１１２）から前記顧客へ、前記収集された状態情報および個々の線量データを自動的に通信するステップをトリガーする請求項９記載のコンピュータ読取り可能媒体（１５５）。
【請求項１１】
前記複数の電離性放射線システム（１７０）の１つまたは複数の電離性放射線システム（１７０）のデータに対する、前記個々の電離性放射線システム（１７０）からのデータの比較は、複数のタイプのプロトコルの分布について電離性放射線（１３５）の前記照射を採用するプロトコルの継続時間、異なるプロトコルの相対的な実施の頻度および前記被検者（１０５）に照射される放射線線量の関連する分布（７０５）、前記放射線線量、電離性放射線（１３５）に対する曝露の継続時間、前記放射線線量と前記被検者（１０５）に照射される電離性放射線（１３５）のビームの面積を乗じた積、ならびに、画像収集モードのタイプに対する放射線線量の分布（７０５）のそれぞれにさらに関連する請求項９記載のコンピュータ読取り可能媒体（１５５）。
【請求項１２】
前記複数の電離性放射線システム（１７０）の１つまたは複数の電離性放射線システム（１７０）のデータに対する、前記個々の電離性放射線システム（１７０）からのデータの比較は、前記被検者（１０５）に照射される放射線線量が、前記閾値（６１０）放射線線量を超える前記個々のシステムに関する事象の数の分布、Ｘ線源−受像面間距離（ＳＩＤ）（２２２）の変動に対する、前記被検者（１０５）に照射される放射線線量の分布（７０５）、同様なプロトコルまたはモードの電離性放射線動作を実施する１つまたは複数の同様なタイプの他のシステム（１７０）から収集されるデータによって規定されるベンチマークに対する、前記個々のシステム（１２０）についてのＳＩＤの分布（２２２）、自動曝射の選好、画像収集のフレームレート、同じ平均放射線減衰を生じる、被検者（１０５）の透過厚の計算された値、前記放射線線量が放射線線量閾値（６１０）を超える検査の時点のそれぞれにさらに関連する請求項９記載のコンピュータ読取り可能媒体（１５５）。
【請求項１３】
前記個々の放射線学的イメージングシステム（１３０）から収集される前記個々の放射線線量の履歴における個々の傾向を計算するステップと、
ユーザから受信される選択された時間枠の間に、前記複数の他の放射線学的イメージングシステム（１７０）から収集される前記母集団放射線線量データの履歴から計算される母集団傾向に対して前記個々の傾向を比較するステップとをさらに含む請求項９記載のコンピュータ読取り可能媒体（１５５）。
【請求項１４】
前記報告は、前記放射線線量が前記閾値（６１０）を超えた、対象となる検査に関連する累積線量マップを含み、前記累積線量インシデントマップの実施形態は、前記イメージングシステム（１３０）の放射源および／または検出器の追跡される位置または角度に対して、前記検査中に前記被検者（１０５）に照射される累積放射線線量（ＥＳＡＫ）の尺度の図を含み得、前記放射源および／または検出器の前記追跡される位置または角度は、前記放射源または検出器を支持するガントリの追跡される位置または角度に関係付けられ得る請求項９記載のコンピュータ読取り可能媒体（１５５）。
【請求項１５】
前記報告（１８０、２４０）は、前記被検者（１０５）の左前斜位／右前斜位（ＬＡＯ／ＲＡＯ）に関して前記電離性放射線（１３５）の供給源（１２５）を支持するガントリ（１２８）の様々な位置を表す水平軸（９１２）のグラフィック図、前記ガントリ（１２８）の頭側または尾側位置を表す垂直軸（９１３）のグラフィック図、および、前記マップ（９１０）の前記水平および垂直軸（９１２、９１３）に対する前記被検者（１０５）に照射される放射線線量の分布（７０５）のグラフィック図を含む累積線量インシデントマップ（９１０）を含む請求項９記載のコンピュータ読取り可能媒体（１５５）。
【発明の詳細な説明】
【技術分野】
【０００１】
本出願の主題は、一般に、電離性放射線（ionizing radiation、例えば、ｘ線）に関し、より具体的には、被爆被検者に対する電離性放射線の指示投射量若しくは電離性放射線投射量の指示を管理するシステムおよび方法に関する。
【背景技術】
【０００２】
治療または画像収集において電離性放射線（例えば、ｘ線）を用いることはよく知られている。電離性放射線の適用分野は、医療領域（例えば、ｘ線透視検査、コンピュータ断層撮影（ｃｏｍｐｕｔｅｒ  ｔｏｍｏｇｒａｐｈｙ）（ＣＴ）、ｘ線、組織の焼灼など）およびセキュリティスクリーニング（例えば、空港手荷物検査）において一般的である。例えば、放射線学的画像の取得とは、一般に、電離性放射線流を被爆被検者（以下「被検者」とする）に向けて照射し、被検者を通過する電離性放射線を測定する。
【０００３】
電離性放射線の使用に伴う１つの懸念は、被検者の組織に対する放射線誘発性損傷による害または損傷の可能性が高まることである。これらによる確率の高いリスクは、皮膚発赤、発疹、熱傷、脱毛を含む。実際、電離性放射線を使用することは、化学療法または病気の組織の焼灼においてよく知られている。被検者の組織に放射線誘発性損傷をもたらす可能性に影響を及ぼす変数は、被検者により吸収される放射線の線量を含む。被検者によって吸収される放射線の線量に影響を及ぼす変動要素は、被検者への放射線の送出レート、被検者への放射線の曝射時間、被検者により吸収される放射線の吸収率、被検者の年齢または他の特性、そして、放射線の被検者上の曝射位置、等を含む。電離性放射線の使用に伴う別の懸念は、被検者に対する確率論的な影響（例えば、放射線誘発性がん）を引起す可能性が高まることである。
【先行技術文献】
【特許文献】
【０００４】
【特許文献１】米国特許第６，２２８，０２７号公報
【発明の概要】
【発明が解決しようとする課題】
【０００５】
電離性放射線の使用に関連する上記懸念を考慮すると、様々な適用分野、例えば、被検者の色々な曝露エリア（例えば、胸、腕、脚など）におけるｘ線透視画像の撮影、ｘ線によるイメージング、ＣＴによるイメージング等について、被検者（例えば、患者）に対する電離性放射線の投射線量の指示を管理するためのデータに対するアクセスを改良すること、または、そのよううな管理を行うための知識を増加させることの必要性は少なからず存在する。このようなデータに対する改良したアクセスは、種々のタスクを実施するために電離性放射線を使用するときの標準的な操作上の手続きや手順を確立するのに役立つと共に、被検者の特性に関する、電離性放射線曝露による決定的な或いは重要な影響の可能性において手続や手順の影響がどの程度かの測定し或いは評価するのに役立つ。上述の必要性や有用さは、本明細書で述べる主題の実施形態によって扱われる。
【課題を解決するための手段】
【０００６】
主題の一実施形態は、被検者に対する電離性放射線投射指示（dose direction）を管理する方法を含み、この方法は、顧客から、遠隔オフィスと本システム間で通信を行うためのインターネット接続を確立するというリクエストを受けるステップと、電離性放射線の照射が閾値を超えるような事象に関連する状態情報および個々の線量データを自動的に通信するステップと、自動的に、報告を生成し、インターネット接続を介して顧客に報告を通信するステップとを含み、報告は、電離性放射線照射のディレクションが閾値を超える事象が発生したことの指示、ならびに、電離性放射線を照射し、かつ、遠隔オフィスにデータを通信する他のシステムの母集団から収集される放射線線量データおよび状態情報によって規定されるベンチマークに対する、事象発生時のシステムの個々の放射線線量データおよび個々の状態情報の比較を含む。
【０００７】
主題の別の実施形態は、プロセッサによって実行されるための複数のプログラム命令を含むコンピュータ読取り可能媒体を含み、複数のプログラム命令は、遠隔オフィスと、被検者に電離性放射線を照射するシステムとの間で通信するためにインターネット接続を確立する要求を顧客から受信するステップと、電離性放射線の照射が閾値を超える事象に関連する状態情報および個々の線量データを自動的に通信するステップと、自動的に、報告を生成し、インターネット接続を介して顧客に報告を通信するステップとを実施するためのものであり、報告は、電離性放射線の照射が閾値を超える事象の指示、ならびに、電離性放射線を照射し、かつ、遠隔オフィスにデータを通信する他のシステムの母集団から収集される放射線線量データおよび状態情報によって規定されるベンチマークに対する、事象発生時のシステムの個々の放射線線量データおよび個々の状態情報の比較を含む。
【０００８】
技術上の範囲を変えたシステムおよび方法についても本明細書で述べられるであろう。この要約に述べる態様および利点に加えて、さらなる態様および利点が、次に続く図面を参照してまた詳細な説明を参照して明らかになるであろう。
【図面の簡単な説明】
【０００９】
【図１】被検者に対する電離性放射線線量の照射または送出を管理するシステムの実施形態の略図である。
【図２】被検者に対する電離性放射線の照射または送出を管理するシステムを動作させる方法の略図である。
【図３】図１のシステムによって生成された、ある期間にわたる、イメージングシステム１３０によって実施される検査または画像収集またはスキャンの数およびその追跡される継続時間の説明の実施形態を示す図である。
【図４】図１のシステムによって生成された、被検者に対する電離性放射線の照射を採用するプロトコルについての継続時間、および、異なるプロトコルの相対的な実施の頻度についての説明の実施形態を示す図である。
【図５】図１のシステムによって生成された、プロトコルのタイプおよび画像収集モードに関して比較するための、被検者に照射された、測定された放射線線量および累積パーセンタイル（％）の説明の実施形態を示す図である。
【図６】図１のシステムによって生成された、被検者に照射される放射線線量のあるグルーピングまたは閾値範囲を超える事象の数の分布の説明の実施形態を示す図である。
【図７】図１のシステムによって生成された、電離性放射線システムのｘ線源−受像面間距離（ＳＩＤ）の変動に対する被検者に照射される放射線線量の分布の説明の実施形態を示す図である。
【図８】図１のシステムによって生成された、１つまたは複数の同様なタイプのイメージングシステム、同様なプロトコルの画像収集、または、同様なモードの画像収集、あるいは、その組合せから収集されるデータによって規定されるベンチマークに対する、個々のイメージングシステムについてのＳＩＤの分布の説明の実施形態を示す図である。
【図９】図１のシステムによって生成された、電離性放射線源を支持するガントリの幾何形状に対する、被検者に照射される閾値を超える放射線の照射の線量レベルとロケーションを関係付けるインシデントマップの説明の実施形態を示す図である。
【発明を実施するための形態】
【００１０】
以下の詳細な説明では、添付図面を参照しつつ、詳細な説明の一部を形成し、また、実施可能である特定の実施形態が例示として開示される。これらの実施形態は、当業者が、実施形態を実施することを可能にするのに十分詳細に述べられ、他の実施形態が利用されてもよいこと、および、論理的変更、機械的変更、電気的変更、および他の変更が、実施形態の範囲から逸脱することなく行われてもよいことが理解される。したがって、以下の詳細な説明は、制限的な意味で考えられるべきでない。
【００１１】
図１は、医療画像または他のプロトコルでの画像採取における放射線投射の使用を遠隔で監視し報告する管理システム１００の一実施例を示すもので、この放射線投射は、被検者１０５に対する電離性放射線の投射指示を伴う。管理システム１００は、一般に、サーバ１１５を有し遠隔ワークステーション（または遠隔オフィス）１１２に位置するコントローラ１１０を含むもので、このサーバ１１５は、、インターネットまたはブロードバンド接続または無線接続１１８を介して、電離性放射線を発生し放出するシステム（または装置）１２０と通信する。本明細書で使用される遠隔オフィス１１２とは、一般に、顧客の施設またはエンティティから遠い、または顧客住所から離間したアドレスのオフサイトロケーション（ｌｏｃａｔｉｏｎ  ｏｆｆ−ｓｉｔｅ）を指すものとする。しかし、システム１００の実施例は、顧客のところに位置する１つまたは複数の部分を含むことができ、発明の主題との関係で限定されるべきでない。
【００１２】
電離性放射線システム１２０の一例は、放射線学的イメージングシステム１３０のガントリ１２８上に支持された放射線源１２５（例えば、ｘ線を発生するｘ線管アッセンブリー）を含む。このイメージングシステム１３０の例は、一般に、ｘ線装置、コンピュータ断層撮影装置（ＣＴ）、ｘ線透視イメージングシステムなどを含むもので、これらの例の装置若しくはシステムは、電離性放射線（例えば、ｘ線）１３５のビームを被検者１０５を通して投射せしめる放射線源１２５を有するもので、この電離性放射線が従来の方法で検出器１４０において検出される。電離性放射線は、被検者１０５を通過することによって減衰し、ついには、検出器１４０上に衝突する。検出器１４０は、電離性放射線の減衰量を変換して、被検者１０５の対象領域を示す画像または画像フレームを生成する。例示された放射線学的イメージングシステム１３０はまた、一連の採取画像を結合して再構成した３次元画像を作成するソフトウェアまたはパッケージを含む。ソフトウェア製品の例は、ＧＥＮＥＲＡＬ  ＥＬＥＣＴＲＩＣ（登録商標）によって製造されたＩＮＮＯＶＡ（登録商標）３Ｄである。これらのソフトウェア製品は、血管（例えば、静脈、動脈など）または他の解剖学的構造の容積、直径、および全体のモフォロジーを測定するように動作する。
【００１３】
システム１００の実施例は、一般に、インターネット接続１１８を介して通信するコントローラ１１０を含み，コントローラ１１０が、放射線源１２５または放射線学的イメージングシステム１３０からデータを収集する。システム１００の一実施例は、電離性放射線システム１２０と遠隔オフィス１１２のコントローラ１１０との間で通信接続１１８を確立するために、ＧＥＮＥＲＡＬ  ＥＬＥＣＴＲＩＣ  ＣＯＭＰＡＮＹ（登録商標）によって製造されたＩＮＳＩＴＥ（登録商標）またはＴＯＳＨＩＢＡ（登録商標）によって製造されたＩＮＮＥＲＶＩＳＩＯＮ  ＰＬＵＳなどのソフトウェア製品を具備する。
【００１４】
コントローラ１１０は、遠隔オフィス１１２に関連して述べられるが、その他の方法で、被検者１０５に向けて電離性放射線投射を指令するシステム１３０と一体化しても、または、システム１３０に隣接させて位置させてもよいことが理解されるべきである。
【００１５】
コントローラ１１０の実施例は、一般に、収集データ（例えば、状態情報）を処理し解析するよう構成される。コントローラ１１０の実施例は、一般に、メモリ１５５と通信するプロセッサ１５０を含む。メモリ１５５は、一般に、コンピュータ読取り可能プログラム命令を記憶するコンピュータ読取り可能記憶媒体を含み、このプログラム命令が受信されてプロセッサ１５０によって実行される。メモリ１５５は、また、一般に、放射線源１２５またはイメージングシステム１３０によって、あるいは、他の発生源１７０（例えば、ＭＲＩシステム、ＰＥＴイメージングシステム、画像蓄積伝送システム（ｐｉｃｔｕｒｅ  ａｒｃｈｉｖａｌ  ｓｙｓｔｅｍ）（ＰＡＣＳ）など）から通信を介して収集されてきたデータを記憶する。メモリ１５５のタイプは、ディスク記憶装置、テープドライブ、ランダムアクセスメモリ（ＲＡＭ）、読取り専用メモリ（ＲＯＭ）、フラッシュメモリ、コンパクトディスク（ＣＤ）、デジタル多用途ディスク（ＤＶＤ）、磁気カセット、磁気テープ、磁気ディスク記憶装置、または、コンピュータ読取り可能命令を記憶するのに使用されるように働く任意の他の媒体を含む。
【００１６】
コントローラ１１０はまた、入力デバイス１７５および出力デバイス１８０と通信する。入力デバイス１７５の実施例は、システム１００のユーザから命令またはデータを受信するように動作する、キーボード、タッチスクリーン機能を有するユーザインタフェース、マウスデバイスなどを含む。出力デバイス１８０の実施例は、システム１００からの出力をユーザに提示するもので、モニタ、可聴または視覚アラームなどを含む。
【００１７】
システム１００の全体的な構成を述べたが、図２に関連させてなされる以下の説明は、被検者１０５に対する電離性放射線の送出または投射を管理するようにシステム１００を動作させるための、方法２００の説明である。尚、本方法２００を構成する上述のシーケンスの動作またはステップは変形され得ること、また、本方法２００が、以下の説明にする全ての動作またはステップを含まなくてもよいこと、また、本方法２００が、以下の説明においては非開示の動作またはステップを含む得ること、などは理解されるべきである。また、本方法２００を構成する以下の動作またはステップの１つまたは複数は、メモリ内にまたは可搬型コンピュータ読取り可能媒体１５５上に記憶されるための、また、コントローラ１１０のプロセッサ１５０によって実行されるためのコンピュータ読取り可能なプログラム可能命令として実施されても良い。
【００１８】
例のために、被検者１０５は患者であり、電離性放射線システム１２０は画像収集を実施するように働くコンピュータ断層撮影（ｃｏｍｐｕｔｅｒ  ｔｏｍｏｇｒａｐｈｙ）（ＣＴ）イメージングシステムを含むと仮定する。
【００１９】
図２のステップ２０５では、放射線学的イメージングシステム１３０と遠隔ワークステーション１１２（例えば、遠隔オフィス）との間で広帯域通信１１８（例えば、インターネット）を確立するとの要求２０８を受信する。要求２０８の形式は、インターネットを通じた電子メッセージ（例えば、電子メール）、インターネットまたはブロードバンド接続１１８を通じた電子通信、ウェブページによる電子通信などでよい。ステップ２０５の実施例として、ＧＥＮＥＲＡＬ  ＥＬＥＣＴＲＩＣ  ＣＯＭＰＡＮＹ（登録商標）によって製造されたＩＮＳＩＴＥ（登録商標）によって接続１１８を確立する。ステップ２１０で、放射線学的イメージングシステムによって患者に投射される放射線線量の上限閾値を収集する。上限閾値を収集すること一実施例として、放射線学的イメージングシステム１３０のユーザからのものであり、ブロードバンド接続１１８によって通信される。しかし、上限閾値を通信する態様は、例えば、電話、電子メールなどと変わり得る。ステップ２１５で、電離性放射線のビームまたはストリーム１３５を被検者１０５に通過せしめることの指示を行いまたは送出する。
【００２０】
ステップ２１５は、患者１０５の画像に必要なデータを収集する。ステップ２１５の実施例として、当該患者１０５に実施される画像収集のためのプロトコルまたはタスク２１６（図５を参照されたい）、その患者１０５の画像収集が行われる位置２１８（例えば、解剖学的領域）などを、取得する。
【００２１】
ステップ２２０では、次のデータを収集する：
・投射放射線量または線量率（例えば、グレイ（Ｇｙ）単位の吸収線量、
・イメージングシステム１３０のアイソセンタから一定距離のインターベンショナル（治療）基準点の固定基準点に対する累積空気カーマ(cumulative air kerma)、
・シーベルト（Ｓｖ）単位の等価投射線量、
・組織加重係数（tissue weighting factor）に対する実効線量、
・コンピュータ断層撮影線量指標(computed tomography dose index: CTDI)、
・重み付きＣＴＤＩ、
・容積ＣＴＤＩ、
・複数スキャン平均線量（MSAD: multiple scan average dose）、
・患者１０５の画像取得に際して各イメージングシステムにより指示された線積分線量（DLP: dose length product）など）、
・イメージングシステム１３０または放射線源１２５に対する患者の位置、
・放射線源１２５（例えば、電子ビームがアノードターゲットに当たるｘ線管組立体の焦点）とフラットパネル検出器のシンチレータとの間の距離２２２（ｘ線源−受像面間距離（ＳＩＤ）とも呼ばれる）、
・収集された上記線量上限閾値に対する照射指示された線量の比較、
・ＳＩＤ当たり照射指示された放射線線量の測度、
・各ＳＩＤまたはＳＩＤグルーピングについて患者に照射指示された累積線量、
・詳細状態情報（例えば、画像採取モード、投射放射線線量または累積放射線の投射量に間に合うように指示することに対する放射線源１２５（および／またはスキャナ／検出器１４０）の位置取り、
・フレームレート (FRAME RATE)、
・自動曝射の選好(Auto Exposure Preference)、
・画像データの詳細なレベル(DETAIL LEVEL)、
・実行またはスキャンの総数(# RUNS)、
・画像収集の総スキャン時間または継続時間、
・イメージングシステム１３０の較正に関連する詳細（例えば、較正データなど）、
・患者１０５に照射される総放射線線量
ステップ２２０は、また、個々のイメージングシステム１３０の較正に関連するデータ（例えば、較正状態、較正日など）を収集する。ステップ２２０はまた、製造業者仕様に関するエラーメッセージ、警報、および他のパラメータを含む、イメージングシステム１３０の動作に関連する状態情報を収集する。
【００２２】
ステップ２２５は、ステップ２２０で収集されたデータの一部分または全てを、遠隔オフィスまたはステーション１１２に通信する。ステップ２２５の一実施例は、収集データの一部分または全てを、広帯域通信１１８を介して通信する。しかし、収集されるデータは、他のモードの通信（例えば、無線、電話、広帯域、電子メールを介して送出される添付ファイルなど、または、組合せ）を通じて通信され得る。ステップ２２５は、ほぼリアルタイムベースで、バッチベースで、あるいは、イメージングシステム１３０のユーザまたは遠隔オフィス１１２のユーザによって予め決まるように定期的に実施され得る。
【００２３】
ステップ２２５の一実施例は、線量閾値（例えば、累積線量閾値など）を超えたことの検出に応答して、個々のイメージングシステム１３０に関するステップ２２０で述べた、収集データの一部分または全てを通信する。
【００２４】
ステップ２３０では、個々のイメージングシステム１３０から収集データを解析する。ステップ２３０の一実施例として、収集された上記データによって表される１つまたは複数形式のパラメータについて、閾値と比較する。この閾値の一実施例として、被検者１０５に指示された放射線指示線量についての所定値（例えば、規制値）に決定しても良い。ステップ２３０の別の実施例では、個々のイメージングシステム１３０の収集データまたは特性データを、１つまたは複数の他の同様なイメージングシステム１７０あるいは画像収集の同様なプロシジャ（手続）／タスク／プロトコル（手順）あるいはその組合せから収集されるデータと比較するために、イメージングシステム１３０の収集される前記データまたは特性をグループ化するかまたは分類することである。
【００２５】
ステップ２３５は、収集データに対する上述した解析を示す報告２４０を生成して、ユーザのワークステーションまたはイメージングシステム１３０のディスプレイ２４５に表示してユーザに示す。上述した報告２４０の一実施例は、ステップ２２０で収集したデータのグラフィック表現を含むもので、ステップ２２０で収集したデータを、自分自身のシステムと、または、遠隔オフィスまたはステーション１１２が収集したイメージングシステム１７０の上記異型イメージングシステム群と、比較する。
【００２６】
図３を参照すると、報告２４０の例としての図解３０５（例えば、棒グラフ）を含み、同図解は、イメージングシステム１３０によって実施された検査数、あるいは画像収集の数、またはスキャンの数、そして、ある単位期間（例えば、ユーザ指定の期間または標準的な周期的（例えば、１月ごとの）報告期間について）に亘って追跡された前述の検査などを行った継続期間を含む。
【００２７】
図４を参照すると、報告２４０の例として、電離性放射線に曝露される複数のプロトコル（例えば、大動脈aorta、大動脈弓aorta-arch、冠血管（ｃｏｒｏｎａｒｉｅｓ）、大腿femoralなどのイメージング）の分布について、電離性放射線の照射を採用するプロトコルの継続時間および／または被検者に照射される総線量を示す図解４０５（例えば、グラフパイチャート）を含む。図４を説明すると、異なるプロトコル間の互いの相対的な実施頻度および被検者１０５に対する放射線線量の関連する分布を示す。
【００２８】
図５を参照すると、報告２４０の例として、プロトコルのタイプ（例えば、大動脈aorta、冠血管coronaries、大動脈弓aorta-arch、大腿femoral、脚foot、下肢lower leg、頚動脈carotidsなどのイメージング）に関して比較すると共に、画像収集モード（例えば、心血管造影（ｃａｒｄｉａｃ）、ｘ線透視検査、デジタルサブトラクション血管造影法（ｄｉｇｉｔａｌ  ｓｕｂｔｒａｃｔｉｏｎ  ａｎｇｉｏｇｒａｐｈｙ）（ＤSＡ）など）に関して比較するために、被検者に照射された、測定された放射線線量（例えば、累積線量、放射線に対する曝露の継続時間、Ｇｙ／ｃｍ２で報告されるＤＡＰ（線量と放射線ビームの面積を乗じた積））および累積パーセンタイル（％）の図解５０５を含む。
【００２９】
図６を参照すると、報告２４０の例として、被検者１０５に指示された投射放射線線量の、あるグループ化の範囲または閾値の範囲（例えば、１Ｇｙ線量範囲インクリメントでグループ化される）を超えるような事象（例えば、検査、放射線治療処置など）の数の分布を示す図解６０５（例えば、棒グラフ）を含む。説明の実施例は、測定された放射線線量が、閾値のグラフ表現６１０（例えば、点線）に対して右に規定される放射線線量閾値を越えた画像収集（例えば、スキャン、検査）の数の尺度を含む。
【００３０】
図７を参照すると、報告２４０の例として、個々のシステム１３０についてのｘ線源−画像間距離（ＳＩＤ）の変化に対する、被検者１０５に照射される放射線線量の分布の図解７０５（例えば、棒グラフ）を含む。個々のシステム１３０に関するこの図解は、投射放射線線量についての同様の分布との比較を含むもので、この同様の分布とは、同様なタイプの、または、類似プロトコルの画像収集モードで採用された、他の複数の画像収集システム１７０についての、対ＳＩＤ変化（横軸）に対する放射線線量の分布の図である。ＳＩＤの変化（例えば、センチメートル単位）は、水平軸に沿ってなされているグルーピングにおいて示されており、垂直の棒グラフは、照射された毎月の総合累積放射線線量のパーセンテージ（例えば、ＥＳＡＫ、％）を表す。この図から、イメージングシステム１３０のユーザは、ＳＩＤの変化に対する放射線投射線量の考えられる減少を理解し得る。
【００３１】
図８を参照すると、報告２４０の例として、１つ以上の同様タイプのイメージングシステム１７０、同様なプロトコルの画像収集から、または、同様なモードの画像収集から、あるいは、その組合せから収集されるデータによって規定されるベンチマークに対する、個々のイメージングシステム１３０についてのＳＩＤの分布の図解８０５（例えば、棒グラフ）を含む。説明の例は、水平軸に沿うグルーピング（例えば、センチメートルの範囲）内のＳＩＤを、各ＳＩＤグルーピングについて、またさらに、画像収集モード（例えば、ｘ線透視検査、心血管造影など）に対して分割されるかまたは示された累積放射線線量の垂直棒グラフィック図に対して示す。
【００３２】
図９を参照すると、報告２４０の例は、被検者に照射される放射線線量（例えば、累積放射線線量）の尺度が、放射線線量閾値を越える、画像収集スキャンまたは検査または治療の状態情報の図９０５を含む。図９の例示的図は、検査の日付／時間スタンプ、プロトコル（例えば、冠血管など）、採取モードのタイプ（例えば、ｘ線透視検査）、自動曝射の選好、フレームレート、画像収集の詳細レベル、検査中の実行またはスキャンの数、検査の総合継続時間、ならびに、被検者１０５に照射される累積放射線線量（例えば、ＥＳＡＫ、Ｇｙ）およびＤＡＰ（ｍＧｙ／ｃｍ２）を含む、放射線線量閾値が超えられた、検査、採取スキャン、または治療セッションに関連する詳細状態情報を含む。
【００３３】
図９の例示的図９０５は、さらに、イメージング線量効率最適化を管理するため、また、イメージングモード間を移行するときに、試験曝射を収集することなくイメージングシステムのパラメータを自動的にセットするためにユーザによって採用され得る、等価患者厚（ｅｑｕｉｖａｌｅｎｔ  ｐａｔｉｅｎｔ  ｔｈｉｃｋｎｅｓｓ）（ＥＰＴ）（すなわち、有用な画像を形成するのに十分な量の電離性放射線によって患者を貫通することが困難であるという指示を示し得る所与の状況下で、対象となる患者と同じ平均放射線減衰を生じるアクリル樹脂（ＰＭＭＡ）などの厚さ）の計算を含む。図９の例示的図９０５は、さらに、所定期間にわたる、被検者１０５に照射される累積放射線線量の尺度の図、および、対象となる検査について、放射線線量が閾値を越えたときの検査の時点を含む。図９の例示的図９０５はまた、閾値が越えられた、対象となる検査中における、被検者１０５に照射される放射線線量の尺度に対する、ＳＩＤまたはそのグルーピングのグラフ表現（例えば、棒グラフ）を含む。例示的図９０５はまた、ＳＩＤの変化が、被検者１０５に照射される放射線線量にどのように影響を及ぼし得るかを示し得る。
【００３４】
図９に示された例示としての図解９０５は、さらに累積線量インシデントマップ９１０の実施例を含むもので、同マップは、放射線線量が閾値を越えた関心対象の検査に関連付けられている。累積線量インシデントマップ９１０の実施例は、イメージングシステム１３０の放射線源１２５（および／または検出器１４０）の追跡位置（または角度）に対する、被検者に投射指示された累積放射線線量（ＥＳＡＫ）の測度の図解を含む。放射線源１２５（および／または検出器１４０）の追跡位置（例えば、角度）とは、放射線源１２５（または検出器１４０）を支持するガントリ１２８の追跡位置（例えば、角度）に関係する。累積線量インシデントマップ９１０は、被検者１０５の左前斜位／右前斜位（ＬＡＯ／ＲＡＯ： left / right anterior oblique）に関してガントリ１２８の様々な位置を表す水平軸９１２、および、ガントリ１２８の頭側／尾側（CRA-CAU: cranial/caudal)位置を表す垂直軸９１３を含む。累積線量インシデントマップ９１０はまた、ガントリ１２８の位置（例えば、角度）（例えば、３０度インクリメント）あるいは軸９１２、９１３に対する、被検者１０５に対する放射線線量（例えば、ＥＳＡＫ）の分布のグラフ表現９１４を含む。それにより、累積線量インシデントマップ９１０は、放射線線量の測度、ならびに、どれだけの放射線線量が被検者１０５に照射されたかを示す。
【００３５】
ステップ２３５では、さらに、被検者１０５への投射放射線線量を減らそうとする応答または行動の申し込み９１５（図９）を識別することも行うもので、これは、被検者１０５に対して電離性放射線を投射指示するときに、イメージングシステム１３０の状態情報に応じて放射線線量が閾値を超えることを検出したことに応答してなされる。この応答または行動の申し込み９１５は、１人以上の他のユーザあるいは対象イメージングシステム１３０と異なる他のイメージングシステム１７０によって追跡されるかまたは測定される、応答または行動の収集されるデータおよび被検者１０５に対する放射線線量の追跡される低減に応じて生成され得る。提案される応答または行動９１５は、図９に示されるが、他の示す図３〜８の任意の図の一部であるかまたはその図と独立であり得る。
【００３６】
本明細書の主題は、被検者１０５に対する電離性放射線１３５の照射を管理するシステム１００および方法２００を述べる。方法２００は、遠隔オフィス１１２と、被検者１０５に電離性放射線を照射するシステム１２０との間で通信するためにインターネットまたはブロードバンド接続１１８を確立する要求２０８を顧客から受信するステップと、電離性放射線１３５の照射が閾値を超える事象に関連する状態情報および個々の線量データを自動的に通信するステップと、自動的に、報告２４０を生成し、顧客のユーザディスプレイ２４５に報告２４０を通信するステップとを含み、報告２４０は、電離性放射線１３５の照射が閾値を超える事象の指示、ならびに、電離性放射線を照射し、かつ、遠隔オフィス１１２にデータを通信する他のシステム１７０の母集団から収集される放射線線量データおよび状態情報によって規定されるベンチマークに対する、事象発生時の電離性放射線システム１２０の個々の放射線線量データおよび個々の状態情報の比較を含む。電離性放射線を照射するシステム１２０は、放射線学的イメージングシステム１３０であることができ、比較は、複数の他の放射線学的イメージングシステム１７０の少なくとも１つの放射線学的イメージングシステム１７０の採取画像の数に対する、個々の放射線学的イメージングシステム１３０の採取画像の数を含む。
【００３７】
方法２００は、閾値を超える少なくとも１つの採取画像について個々の放射線線量データを計算することであって、遠隔オフィス１１２から顧客のユーザディスプレイ２４５へ、収集された状態情報および個々の線量データを自動的に通信するステップをトリガーする、計算する。方法２００は、さらに、複数の電離性放射線システム１７０の１つまたは複数の電離性放射線システム１７０のデータに対する、個々の電離性放射線システム１２０からのデータの比較であって、複数のタイプのプロトコルの分布について電離性放射線照射を採用するプロトコルの継続時間、異なるプロトコルの相対的な実施の頻度および被検者１０５に対する放射線線量の関連する分布、放射線線量、電離性放射線１３５に対する曝露の継続時間、放射線線量と被検者１０５に照射される電離性放射線１３５のビームの面積を乗じた積、ならびに、画像収集モードのタイプに対する放射線線量の分布のそれぞれに関連するデータの比較を含む。
【００３８】
方法２００は、さらに、複数の電離性放射線システム１７０の１つまたは複数の電離性放射線システム１７０のデータに対する、個々の電離性放射線システム１２０からのデータの比較であって、被検者に照射される放射線線量が閾値放射線線量を超える個々のシステム１２０に関する事象の数の分布、ｘ線源−受像面間距離（ＳＩＤ）の変動に対する、被検者１０５に照射される放射線線量の分布、同様なプロトコルまたはモードの電離性放射線動作を実施する１つまたは複数の同様なタイプの他のシステム１７０から収集されるデータによって規定されるベンチマークに対する、個々のシステム１２０についてのＳＩＤの分布、自動曝射の選好、画像収集のフレームレート、同じ平均放射線減衰を生じる、被検者の等価厚の計算された値、放射線線量が放射線線量閾値を超えた検査の時点のそれぞれに関連するデータの比較を含む。
【００３９】
方法２００は、さらに、個々の放射線学的イメージングシステム１３０から収集される個々の放射線線量の履歴における個々の傾向を計算するステップと、顧客から受信される選択された時間枠の間に、複数の他の放射線学的イメージングシステム１７０から収集される母集団放射線線量データの履歴から計算される母集団傾向に対して個々の傾向を比較するステップとを含む。
【００４０】
報告２４０の実施例は、放射線線量が閾値を超えた、対象となる検査に関連する累積線量インシデントマップ９１０を含む。累積線量インシデントマップ９１０の実施例は、イメージングシステム１３０の放射源１２５および／または検出器１４０の追跡される位置または角度に対して、検査中に、被検者１０５に照射される累積放射線線量ＥＳＡＫの尺度の図を含み得、放射源１２５および／または検出器１４０の追跡される位置または角度は、放射源１２５または検出器１４０を支持するガントリ１２８の追跡される位置または角度に関係付けられ得る。報告２４０の実施例は、被検者の左前斜位／右前斜位（ＬＡＯ／ＲＡＯ）に関して電離性放射線の供給源を支持するガントリの様々な位置を表す水平軸９１２のグラフィック図、ガントリ１２８の頭側または尾側位置を表す垂直軸９１３のグラフィック図、および、水平および垂直軸９１２および９１３に対する放射線線量の分布のグラフィック図９１４を含む累積線量インシデントマップ９１０を含む。
【００４１】
本明細書の主題はまた、プロセッサ１５０によって実行されるための複数のプログラム命令を含むコンピュータ読取り可能媒体１５５を、システム１００が含むことを述べ、複数のプログラム命令は、遠隔オフィス１１２と、被検者１０５に電離性放射線を照射するシステム１２０との間で通信するためにインターネットまたはブロードバンド接続１１８を確立する要求２０８を顧客から受信するステップと、電離性放射線１３５の照射が閾値を超える事象に関連する状態情報および個々の線量データを自動的に通信するステップと、自動的に、報告を生成し、インターネット接続を介して顧客に報告を通信するステップとを実施するためのものであり、報告は、電離性放射線の照射が閾値を超える事象の指示、ならびに、電離性放射線を照射し、かつ、遠隔オフィスにデータを通信する他のシステムの母集団から収集される放射線線量データおよび状態情報によって規定されるベンチマークに対する、事象発生時のシステムの個々の放射線線量データおよび個々の状態情報の比較を含む。コンピュータ読取り可能媒体のプログラム命令は、閾値を超える少なくとも１つの採取画像について個々の放射線線量データを計算することによって、遠隔オフィス１１２から顧客のユーザディスプレイ２４５へ、収集された状態情報および個々の線量データを自動的に通信するステップをトリガーするようにプロセッサ１５０に指令し得る。
【００４２】
コンピュータ読取り可能媒体のプログラム命令は、さらに、複数の電離性放射線システム１７０の１つまたは複数の電離性放射線システム１７０のデータに対する、個々の電離性放射線システム１２０からのデータの比較であって、複数のタイプのプロトコル２１６の分布について電離性放射線１３５の照射を採用するプロトコルの継続時間、異なるプロトコル２１６の相対的な実施の頻度および被検者１０５に照射される放射線線量の関連する分布、放射線線量、電離性放射線１３５に対する曝露の継続時間、放射線線量と被検者１０５に照射される電離性放射線１３５のビームの面積を乗じた積、ならびに、画像収集モード２１６のタイプに対する放射線線量の分布のそれぞれにさらに関連する、比較を実施するようにプロセッサ１５０に指令し得る。
【００４３】
コンピュータ読取り可能媒体のプログラム命令の別の実施例は、さらに、複数の電離性放射線システム１７０の１つまたは複数の電離性放射線システム１７０のデータに対する、個々の電離性放射線システム１２０からのデータの比較であって、被検者１０５に照射される放射線線量が、閾値放射線線量を超える個々のシステム１２０に関する事象の数の分布、Ｘ線源−受像面間距離（ＳＩＤ）２２２の変動に対する、被検者１０５に照射される放射線線量の分布、同様なプロトコル２１６またはモードの電離性放射線動作を実施する１つまたは複数の同様なタイプの他のシステム１７０から収集されるデータによって規定されるベンチマークに対する、個々のシステム１２０についてのＳＩＤの分布、自動曝射の選好、画像収集のフレームレート、同じ平均放射線減衰を生じる、被検者の透過厚の計算された値、前放射線線量が放射線線量閾値を超える検査の時点のそれぞれにさらに関連する、比較を実施するように、プロセッサ１５０に指令し得る。
【００４４】
コンピュータ読取り可能媒体の実施例は、さらに、個々の放射線学的イメージングシステム１３０から収集される個々の放射線線量の履歴における個々の傾向を計算するステップと、（例えば、顧客から受信される）選択された時間枠の間に、複数の他の放射線学的イメージングシステム１７０から収集される母集団放射線線量データの履歴から計算される母集団傾向に対して個々の傾向を比較するステップとを実施するように、プロセッサ１５０に指令するプログラム命令を含む。
【００４５】
コンピュータ読取り可能媒体はまた、放射線線量が閾値を超えた、対象となる検査に関連する累積線量インシデントマップ９１０を含む報告２４０を生成するように、プロセッサ１５０に指令するプログラム命令を含む。累積線量インシデントマップ９１０の実施例は、イメージングシステム１３０の放射源１２５および／または検出器１４０の追跡される位置または角度に対して、検査中に、被検者に照射される累積放射線線量（ＥＳＡＫ）の尺度の図を含み得、放射源１２５および／または検出器１４０の追跡される位置または角度は、放射源１２５または検出器１４０を支持するガントリ１２８の追跡される位置または角度に関係付けられ得る。
【００４６】
プログラム命令の実施例はまた、累積線量インシデントマップ９１０であって、被検者１０５の左前斜位／右前斜位（ＬＡＯ／ＲＡＯ）に関して電離性放射線の供給源１２５を支持するガントリ１２８の様々な位置を表す水平軸のグラフィック図９１２、ガントリ１２８の頭側または尾側位置を表す垂直軸のグラフィック図９１３、および、マップ９１０の水平および垂直軸９１２、９１３に対する被検者１０５に照射される放射線線量の分布のグラフィック図９１４を含む、累積線量インシデントマップ９１０をさらに含む報告２４０を生成するように、プロセッサ１５０に指令し得る。
【００４７】
上述した主題の技術的効果は、電離性放射線の使用に関連する懸念、および、異なる用途（例えば、被検者の種々の曝露エリア（例えば、胸、腕、脚など）のｘ線透視イメージング、ｘ線イメージング、ＣＴイメージング）について、被検者（例えば、患者）に対する放射線線量の照射を管理するためのデータに対するアクセスまたは管理するための知識の増加についての必要性に対処するシステム１００および方法２００を提供する。データに対するこの改良されたアクセスは、種々のタスクを実施するために電離性放射線を使用するときに標準的な動作プロシジャおよびプロトコルの確立に利益を与えると共に、被検者１０５の特性に関する、電離性放射線に対する曝露に関連する熱傷または他の後遺症についての可能性におけるそれぞれのプロシジャのプロトコルの影響の測定および評価に利益を与え得る。
【００４８】
この文書化された説明は、例を使用して、最良の形態を含む本発明を開示し、また同様に、当業者が本発明を作り使用することを可能にする。本発明の特許性のある範囲は、特許請求項によって規定され、また、当業者が思いつく他の例を含んでもよい。こうした他の例は、特許請求項の文字的言語と異ならない構造的要素を有する場合、または、特許請求項の文字的言語との非実質的な差を有する等価な構造を含む場合、特許請求項の範囲内にあることを意図される。
【符号の説明】
【００４９】
１００  管理システム
１０５  被検者
１１０  コントローラ
１１２  遠隔ワークステーションまたはオフィス
１１５  サーバ
１１８  インターネットあるいは広帯域または無線接続
１２０  電離性放射線発生または放出システムまたはデバイス
１２５  放射線源
１２８  ガントリ
１３０  放射線学的イメージングシステム
１３５  電離性放射線のビーム
１４０  検出器
１５０  プロセッサ
１５５  メモリ、コンピュータ読取り可能媒体
１７０  他の発生源（例えば、ＭＲＩシステム、ＰＥＴイメージングシステム、画像蓄積伝送システム（ＰＡＣＳ）など）
１７５  入力デバイス
１８０  報告／表示、出力デバイス
２４５  ユーザディスプレイ
６１０  閾値のグラフ表現
７０５  放射線線量の分布の図７０５（例えば、棒グラフ）
９１０  累積線量マップ
９１５  提案される応答または行動
【図１】
2010221032.tif 000003
【図２】
2010221032.tif 000004
【図３】
2010221032.tif 000005
【図４】
2010221032.tif 000006
【図５】
2010221032.tif 000007
【図６】
2010221032.tif 000008
【図７】
2010221032.tif 000009
【図８】
2010221032.tif 000010
【図９】
2010221032.tif 000011